(57)【要約】【課題】荷取時にクランプアームが床を擦って傷付けることや大きな騒音が出ることを防止できるようにしたロールクランプ装置の提供を目的とする。【解決手段】床１９に転接させるローラ２０をショートアーム１４に回転自在に支持させる。ローラ２０を床に転接させてショートアーム１４を前進させることができるので、ショートアーム１４が床１９を引掻いて傷付けることをなくすことができる。又、発生する騒音がプレートと床１９との摩擦音に比べて格段に小さいローラ２０の転がり摩擦音となる。更に、騒音が小さくなることによりオペレータが周囲に気兼ねせずに、安心して荷取作業をできるようになる。【選択図】　図１
2004043128.tif 000002
【特許請求の範囲】
【請求項１】
対向する一対のクランプアームを備えるロールクランプ装置において、前記一対のクランプアームのうち少なくとも一方のクランプアームは、床に転接させるローラを回転自在に備えることを特徴とするロールクランプ装置。
【発明の詳細な説明】
【０００１】
【発明の属する技術分野】
本発明は、ロールクランプ装置に関する。
【０００２】
【従来の技術】
図３の側面図に示すように、円筒形の荷物（以下、対象物という。）の搬送に用いるロールクランプ装置は、自走車体に昇降可能に設けたリフトブラケットに固定される基枠１０１と、この基枠１０１に前後軸心周りに回転可能に支持される回転枠１０２と、この回転枠１０２を回転させる回転駆動手段１０３と、この回転枠１０２の固定された、ショートアーム１０４と、前記回転枠１０２の他端部にショートアーム１０４に向かって開閉揺動可能に支持されたロングアーム１０５とから構成される１対のクランプアームと、このロングアーム１０５を駆動するアームシリンダ１０６とを備えている。
【０００３】
床１０７に置かれた対象物１０８を荷取する時には、ショートアーム１０４を床１０７に付け、ロングアーム１０５を開いた状態で対象物１０８に向かって前進させ、ショートアーム１０４の前端に支持させたクランププレート１０９を対象物１０８の後下周部に当て、ロングアーム１０５をその先端に支持させたクランププレート１１０が対象物１０８の前上周部に当って馴染むまで閉じるという方法で対象物１０８を確保する。
【０００４】
図４の側面図に拡大して示すように、ショートアーム１０４の床１０７に対向する面には、床１０７を案内にしてショートアーム１０４を円滑に前進させるために例えば鋼板からなるプレート１１１が固定されている。
【０００５】
【発明が解決しようとする課題】
ところが、この従来技術によれば、プレート１１１を床１０７に接触させながら前進するので、床１０７とプレート１１１とが擦れ合う大きな騒音が発生し、オペレータが周囲に気兼ねをしながら作業することになり、心的疲労が重くなる上、プレート１１１が床１０７を引掻いて傷付けるという問題があった。
【０００６】
本発明は、この従来技術の課題を解消し、工場や倉庫の床が傷付き難く、騒音が少なくなるようにしたロールクランプ装置を提供することを目的とする。
【０００７】
【課題を解決するための手段】
この目的を達成するため、本発明のロールクランプ装置は、対向する一対のクランプアームのうち少なくとも一方のクランプアームは床に転接させるローラを回転自在に備えたことを特徴とする、という技術的手段を採用する。
【０００８】
これによれば、ローラを床に転接させてクランプアームを前進させることができるので、クランプアームを前進させた時に発生する騒音が格段に少なくなり、又、クランプアームやクランプアームにが床を引掻いて傷付けることもない。
【０００９】
ここで、ローラの数は特に限定されず、接地圧とクランプアーム下部のスペースの大きさとを勘案して適宜設計すればよい。
【００１０】
【発明の実施の形態】
本発明の一実施例に係るロールクランプ装置を図面に基づいて具体的に説明すれば、以下の通りである。
【００１１】
図２はこのロールクランプ装置を備える荷役作業車の側面図であり、この荷役作業車は、リーチ型フォークリフトのフォークに代えてロールクランプ装置１０を装備したものであり、車体１の前部に左右対をなすストラドルアーム２を備え、各ストラドルアーム２の前端部に回転自在に支持させたロードホイール３と、車体１の後部に設けた操舵輪兼駆動輪４と、車体１の後部に設けた自在車輪５とにより床６を走行するようにしている。
【００１２】
前記ストラドルアーム２にはマスト７が前後に進退可能に支持され、このマスト７を案内にしてリフトシリンダ８で昇降させるリフトブラケット９が設けられる。に本発明の一実施例に係るロールクランプ装置１０が支持される。
【００１３】
このロールクランプ装置１０は、リフトブラケット９に固定される基枠１１と、この基枠１１に前後軸心周りに回転可能に支持される回転枠１２と、この回転枠１２を回転させる回転駆動手段１３と、この回転枠１２の一端部に固定されたショートアーム１４と、この回転枠１２の他端部に前記ショートアーム１４に向かって開閉揺動可能に支持されたロングアーム１５とから構成される１対のクランプアームと、このロングアーム１５を駆動するアームシリンダ１６とを備え、ショートアーム１４及びロングアーム１５の先端部にはそれぞれ対象物に当接させる当接板１７、１８を支持させている。
【００１４】
対象物１８を荷取する時にはショートアーム１４を下に、ロングアーム１５を上に位置させ、このロングアーム１５を開き、ショートアーム１４を床１９に着けた状態で、車体１を前進させたり、マスト７、リフトブラケット８及びロールクランプア装置１０を前進させたりすることにより、ショートアーム１４の当接板１７を対象物の後下周部に当接させる。
【００１５】
図１はショートアーム１４の先端部の側面図であり、この図１に示すように、ショートアーム１４の先端部には、床１９に転接させる例えば７輪のローラ２０が回転自在に支持させてある。
【００１６】
これらローラ２０は、特に限定されないが、ボールベアリング、ローラーベアリング、ニードルベアリング、含油メタル、メタルなどの転がり軸受を内蔵したものを用いている。
【００１７】
そして、これらのローラ２０を床１９に着けてショートアーム１４を前進させると、ローラ２０が床１９の上を転がるので、ショートアーム１４が床１９を擦って傷付けることはない。又、騒音としては、ショートアーム１４が床１９を擦る摩擦音が発生することはなく、この摩擦音に比べれば格段に小さいローラ２０の転がり摩擦音が発生するに過ぎない。従って、オペレータが周囲に気兼ねすることなく、安心して荷取作業をすることができる。
【００１８】
【発明の効果】
以上に説明したように、本発明のロールクランプ装置は、床に転接させるローラをクランプアームに回転自在に備えたことを特徴とするので、これによれば、ローラを床に転接させてクランプアームを前進させることができるという作用を得ることができる。
【００１９】
そして、この作用により、荷取時に床がクランプアームに擦られて傷付くことがなくなるという効果を得ることができる。
【００２０】
又、この作用により、荷取時に発生する騒音がプレートと床との摩擦音に比べれば格段に小さい転がり摩擦音になると言う効果を得ることができ、更に、騒音が小さくなることにより、オペレータが周囲に気兼ねせずに安心して作業することができるという効果を得ることができる。
【図面の簡単な説明】
【図１】本発明の側面図である。
【図２】本発明の側面図である。
【図３】従来例の側面図である。
【図４】従来例の側面図である。
【符号の説明】
１４　ショートアーム
１９　床
２０　ローラ
【図１】
2004043128.tif 000003
【図２】
2004043128.tif 000004
【図３】
2004043128.tif 000005
【図４】
2004043128.tif 000006